(57)【要約】【課題】カバーを非覆い位置へ動かせることにより、表示装置本体の起立状態を維持することができ、未使用時には表示装置の全体をコンパクトにでき、鞄等に収容して携帯することができるようにする。【解決手段】表示面１１を有するフラット型の表示装置本体１と、前記表示面１１を覆い、前記表示面１１を覆う覆い位置と、前記表示装置本体１の起立状態を維持する非覆い位置とに亘って表示装置本体１に可動に保持されたカバー２ａとを備える構成とした。【選択図】　　　　図７
2004078039.tif 000002
【特許請求の範囲】
【請求項１】
表示面を有する表示装置本体を備えた表示装置において、前記表示面を覆い、前記表示面を覆う覆い位置と、前記表示装置本体の起立状態を維持する非覆い位置とに亘って前記表示装置本体に可動に保持されたカバーを備えることを特徴とする表示装置。
【請求項２】
前記カバーは前記表示装置本体の一側部に枢着されている請求項１記載の表示装置。
【請求項３】
前記カバーは前記表示装置本体に対して取外しを可能としてある請求項１又は２記載の表示装置。
【請求項４】
前記カバーは前記表示装置本体に可動に保持された複数の板体を有する請求項１乃至３のいずれかに記載の表示装置。
【請求項５】
前記カバーは前記表示装置本体に保持された被保持部から離間した位置で屈曲可能としてある請求項１乃至３のいずれかに記載の表示装置。
【請求項６】
前記カバーが屈曲される屈曲部は凸条を有する請求項５記載の表示装置。
【請求項７】
前記表示装置本体は前記表示面と反対側の面に、前記カバーの屈曲された部分が当接し、前記表示装置本体の傾き角度を調整する複数の係止部を有する請求項５又は６記載の表示装置。
【請求項８】
前記表示装置本体の周面は表示装置本体に接続されたケーブルが挿入される溝を有する請求項１乃至７のいずれかに記載の表示装置。
【請求項９】
前記表示装置本体又はカバーは前記表示装置本体に接続されたケーブルを巻取るための巻取リールを備えている請求項１乃至３のいずれかに記載の表示装置。
【請求項１０】
前記カバーは前記表示面を覆う覆い位置から非覆い位置の途中にかけて摺動可能であり、該非覆い位置の途中で非覆い位置に向けて回動可能としてある請求項１記載の表示装置。
【請求項１１】
前記カバーは前記表示装置本体を収納する収納空間を有する請求項１０記載の表示装置。
【請求項１２】
前記カバーは前記表示装置本体に接続される電気部品を収納するための収納部を有する請求項１乃至３のいずれかに記載の表示装置。
【請求項１３】
前記表示装置本体又は前記カバーは、前記表示装置本体に接続される電気部品を収納するための収納箱が取外し可能に装着されている請求項１乃至３のいずれかに記載の表示装置。
【発明の詳細な説明】
【０００１】
【発明の属する技術分野】
本発明はパーソナルコンピュータ等のフラット型の表示装置に関する。
【０００２】
【従来の技術】
デスクトップ型パーソナルコンピュータの表示装置は永年に亘って陰極線管（ＣＲＴ）を備えていた。この陰極線管を備える表示装置は高画質が得られ、視野角特性に優れているとともに、比較的安価であるのに対し、前後の厚さ寸法が非常に大きく、表示装置全体が大形で、広い設置スペースが必要であり、しかも、重量が過大であった。
【０００３】
近年では陰極線管の代替として液晶パネルを用いたフラット型の表示装置が主流になっている。
このフラット型の表示装置は、表示面を有する矩形でフラット型の表示装置本体と、該表示装置本体の下部に固定され、表示装置本体を起立状態で支持するブロック形のスタンドとを備えている。
ところで、フラット型の表示装置は陰極線管を備える表示装置の代替として発展してきたため、未だに机の上にセッティングして使用されている。
【０００４】
【発明が解決しようとする課題】
このようにフラット型の表示装置であっても机の上にセッティングして使用されており、携帯されていない。表示装置を携帯する場合においても、表示装置本体の下部に固定されたブロック形のスタンドが表示装置本体の厚さ方向へ突出しており、換言すればブロック形のスタンドが表示面及び表示面と反対側の面に対して外方へ突出しており、表示装置全体の厚さ寸法が大であり、比較的重量もあるため、鞄等に収容して携帯するには不向きであった。
また、フラット型の表示装置の表示面は剥き出しになっているため、携帯する場合においても外力によって表示面及び該表示面を保持する保持台が破損する恐れがあり、鞄等に収容して出張に携帯することはできなかった。
【０００５】
このように表示装置を出張に携帯することができないため、従来ではプレゼンテーション用に小型のプロジェクタを出張に携帯し、表示装置の代替を行う場合もあるが、この際にはプレゼンテーション用の部屋の確保が必要であり、また、商談コーナ等でパーソナルコンピュータを用いた気軽なプレゼンテーション等を行うことができなかった。
【０００６】
本発明は斯かる事情に鑑みてなされたものであり、表示面を覆い、表示面を覆う覆い位置と、表示装置本体の起立状態を維持する非覆い位置とに亘って表示装置本体に可動に保持されたカバーを備える構成とすることにより、机上で使用する際にはカバーを非覆い位置へ動かせることにより、表示装置本体の起立状態を維持することができ、また、未使用時には表示装置の全体をコンパクトにでき、鞄等に収容して携帯することができる表示装置を提供することを目的とする。
【０００７】
また、カバーを表示装置本体の一側部に枢着することにより、省スペースで使用することができる表示装置を提供することを目的とする。
【０００８】
また、カバーを表示装置本体に対して取外し可能とすることにより、表示装置の携帯時等に覆い部が損傷した場合でも、カバーを簡易に交換することができる表示装置を提供することを目的とする。
【０００９】
さらに、表示装置本体に可動に保持された複数の板体を有するカバーとすることにより、異なる非覆い位置で表示装置本体の起立状態を維持することができ、表示装置本体の起立状態を安定させることができる表示装置を提供することを目的とする。
【００１０】
また、前記カバーは前記表示装置本体に保持された被保持部から離間した位置で屈曲可能としてある構成とすることにより、省スペースで使用することができる表示装置を提供することを目的とする。
【００１１】
また、前記カバーが屈曲される屈曲部は凸条を有する構成とすることにより、覆い部の厚さを比較的薄くした場合においても外圧に対して覆い部の撓みを抑制でき、鞄等に収容して携帯する際の携帯性を向上できる表示装置を提供することを目的とする。
【００１２】
また、表示装置本体の表示面と反対側の面に、カバーの屈曲された部分が当接する複数の係止部を設けた構成とすることにより、表示面の角度を自由に調整することができる表示装置を提供することを目的とする。
【００１３】
また、表示装置本体に接続されたケーブルが挿入される溝を表示装置本体の周面に設けることにより、表示装置を鞄等に収容して携帯する際のケーブル処理を容易にできる表示装置を提供することを目的とする。
【００１４】
また、表示装置本体に接続されたケーブルを巻取るための巻取リールを表示装置本体又はカバーが備える構成とすることにより、表示装置を鞄等に収容して携帯する際のケーブル処理を容易にできる表示装置を提供することを目的とする。
【００１５】
さらに、カバーを、表示面を覆う覆い位置から非覆い位置の途中にかけて摺動可能であり、該非覆い位置の途中で非覆い位置に向けて回動可能とすることにより、容易に、効率的にカバーを動かせることができる表示装置を提供することを目的とする。
【００１６】
また、表示装置本体を収納する収納空間をカバーが有する構成とすることにより、カバーの厚さを比較的薄くした場合においてもカバーの強度を高めることができる表示装置を提供することを目的とする。
【００１７】
また、表示装置本体に接続される電気部品を収納するための収納部をカバーが有する構成とすることにより、外力に対する覆い部の撓みを防ぐことができるとともに、表示装置に接続される電気部品を効率よく収納することができる表示装置を提供することを目的とする。
【００１８】
また、表示装置本体に接続される電気部品を収納するための収納箱が表示装置本体又はカバーに取外し可能に装着されている構成とすることにより、ＴＰＯに応じて収納箱を取り替えることができる表示装置を提供することを目的とする。
【００１９】
【課題を解決するための手段】
第１発明に係る表示装置は、表示面を有する表示装置本体を備えた表示装置において、前記表示面を覆い、前記表示面を覆う覆い位置と、前記表示装置本体の起立状態を維持する非覆い位置とに亘って前記表示装置本体に可動に保持されたカバーを備えることを特徴とする。
【００２０】
第１発明にあっては、カバーを非覆い位置へ動かせることにより、表示装置本体の起立状態を維持することができる。
また、未使用時にはカバーを覆い位置へ動かせることにより、カバーの表示装置本体に対する外方への突出量を少なくすることができ、表示装置の全体をコンパクトにできる。従って、未使用時に机上に放置することなく書棚等に格納することができるとともに、鞄等に収容して携帯することができ、また、表示面に埃等が付着することを防ぐことができる。
【００２１】
第２発明に係る表示装置は、前記カバーは前記表示装置本体の一側部に枢着されていることを特徴とする。
【００２２】
第２発明にあっては、表示装置本体の一側部に枢着されたカバーを、一回転に近い角度に亘って回動させることができるため、省スペースで使用することができる。しかも、表示装置本体の一側部にカバーが枢着されているため、カバーを位置ずれさせることなく容易に操作することができ、また、カバーの紛失をなくすることができる。
【００２３】
第３発明に係る表示装置は、前記カバーは前記表示装置本体に対して取外しを可能としてあることを特徴とする。
第３発明にあっては、表示装置の携帯時等に覆い部が損傷した場合でも、カバーを簡易に交換することができる。
【００２４】
第４発明に係る表示装置は、前記カバーは前記表示装置本体に可動に保持された複数の板体を有することを特徴とする。
【００２５】
第４発明にあっては、カバーの板体を表示装置本体の起立時の下部に保持した場合、前記板体を表示装置本体の前方側の非覆い位置及び後方側の非覆い位置へ配置して表示装置本体の起立状態を維持することができ、また、前記板体を表示装置本体の起立時の左右側部に保持した場合、前記板体を表示装置本体の左右側部から後方の非覆い位置へ配置して表示装置本体の起立状態を維持することができ、表示装置本体の起立状態を安定させることができる。
【００２６】
第５発明に係る表示装置は、前記カバーは前記表示装置本体に保持された被保持部から離間した位置で屈曲可能としてあることを特徴とする。
第５発明にあっては、カバーの途中を屈曲することができるため、カバーが非覆い位置で表示装置本体の起立状態を維持する際の大きさを半減することができ、省スペースで使用することができる。
【００２７】
第６発明に係る表示装置は、前記カバーが屈曲される屈曲部は凸条を有することを特徴とする。
第６発明にあっては、覆い部が表示面を覆った際に、屈曲部の凸条が表示面の中央近傍に配置されるため、覆い部の厚さを比較的薄くした場合においても外圧に対して覆い部の撓みを抑制でき、表示面を保護することができる。従って、カバーを軽量にでき、引いては表示装置全体を軽量にでき、鞄等に収容して携帯する際の携帯性を向上できる。
【００２８】
第７発明に係る表示装置は、前記表示装置本体は前記表示面と反対側の面に、前記カバーの屈曲された部分が当接し、前記表示装置本体の傾き角度を調整する複数の係止部を有することを特徴とする。
【００２９】
第７発明にあっては、カバーの屈曲した部分が表示装置本体を表示面と反対側から支えるため、表示装置本体の起立状態をより一層安定させることができる。
また、カバーの係止部との当接位置を変えることにより、表示装置本体の傾き角度、ひいては表示面の角度を自由に調整することができる。
【００３０】
第８発明に係る表示装置は、前記表示装置本体の周面は表示装置本体に接続されたケーブルが挿入される溝を有することを特徴とする。
第８発明にあっては、表示装置本体に接続されたケーブルを表示装置本体周面の溝に挿入することができるため、表示装置を鞄等に収容して携帯する際のケーブル処理を容易にできる。
【００３１】
第９発明に係る表示装置は、前記表示装置本体又はカバーは前記表示装置本体に接続されたケーブルを巻取るための巻取リールを備えていることを特徴とする。
第９発明にあっては、巻取リールにケーブルを巻取ることができるため、表示装置を鞄等に収容して携帯する際のケーブル処理を容易にできる。
【００３２】
第１０発明に係る表示装置は、前記カバーは前記表示面を覆う覆い位置から非覆い位置の途中にかけて摺動可能であり、該非覆い位置の途中で非覆い位置に向けて回動可能としてあることを特徴とする。
第１０発明にあっては、カバーを摺動及び回動操作することにより、カバーを覆い位置及び非覆い位置へ動かせることができるため、容易に、しかも、効率的にカバーを動かせることができる。
【００３３】
第１１発明に係る表示装置は、前記カバーは前記表示装置本体を収納する収納空間を有することを特徴とする。
第１１発明にあっては、カバーは表示装置本体の表示面及び表示面と反対側を覆うように箱形に形成されるため、カバーの厚さを比較的薄くした場合においてもカバーの強度を高めることができ、外圧に対して表示面を保護することができる。しかも、収納空間に表示装置本体を収納した際には、表示面とカバーとの間、及び表示面と反対側の面とカバーとの間に隙間を発生させることができるため、収納空間内の表示装置本体がカバーに接触して傷が付くことを防ぐことができ、また、覆い部に加わる外圧を前記隙間によって吸収することができ、表示面の破損をなくすることができる。
【００３４】
第１２発明に係る表示装置は、前記カバーは前記表示装置本体に接続される電気部品を収納するための収納部を有することを特徴とする。
【００３５】
第１２発明にあっては、外力に対する覆い部の撓みを収納部によって防ぐことができ、表示面の傷つきを防ぐことができる。しかも、表示装置に接続される電気部品を収納部に効率よく収納することができ、また、使用時に外部へ出て見苦しかった前記電気部品を収納部に収納した状態で使用することも可能である。
【００３６】
第１３発明に係る表示装置は、前記表示装置本体又は前記カバーは、前記表示装置本体に接続される電気部品を収納するための収納箱が取外し可能に装着されていることを特徴とする。
【００３７】
第１３発明にあっては、外力に対する覆い部の撓みを収納箱によって防ぐことができ、表示面の傷つきを防ぐことができる。しかも、表示装置に接続される電気部品を収納部に効率よく収納することができ、また、使用時に外部へ出て見苦しかった前記電気部品を収納部に収納した状態で使用することも可能である。また、収納箱は取外すことができるため、ＴＰＯに応じて収納箱を取り替えることができる。
【００３８】
【発明の実施の形態】
以下本発明をその実施の形態を示す図面に基づいて詳述する。
実施の形態１
図１乃至図５は本発明に係る表示装置の実施の形態１の構成を示すもので、図１は使用時の斜視図、図２は未使用時の斜視図、図３はカバーを半開した斜視図、図４はカバーを全開した正面側斜視図、図５はカバーを全開した背面側斜視図である。
【００３９】
この表示装置は、表側となる一面に表示面１１を有し、この表示面１１の内方に液晶パネルが内装された矩形でフラット形の表示装置本体１と、この表示装置本体１に摺動可能に保持され、表示装置本体１に対応する大きさの箱形のカバー２とを備えている。
【００４０】
表示装置本体１は例えば１２インチの表示面１１に対して厚さが約５ｍｍとしてある。この表示装置本体１の起立時に左右となる２つの側辺には各側辺の長手方向一端縁近くから他端縁近くに亘って案内溝１２が凹設されている。
【００４１】
カバー２は、表示装置本体１の表示面１１を覆う矩形の覆い部２１ａと、該覆い部２１ａの三辺に第１乃至第３の連結部２１ｂ，２１ｃ，２１ｄを介して連なり、表示装置本体１の表示面１１と反対側の面と向き合う支持板２１ｅとを有する箱形であり、内部に前記表示装置本体１を収納する収納空間が設けられている。また、カバー２はチタニウム、マグネシューム合金、アルミニウム等の金属材料、又は、合成樹脂材料により成形されている。また、覆い部２１ａには複数の補強用の凸条２１ｆが突設されている。
【００４２】
前記表示装置本体１の前記側辺と向き合う第１及び第２の連結部２１ｂ，２１ｃで、カバー２の開口縁近傍には前記案内溝１２に係合する係合部を有し、案内溝１２に沿って摺動することが可能な一対の摺動体２２が相対回動を可能に保持されている。また、表示装置本体１の起立時における上辺と向き合う第３の連結部２１ｄは、カバー２が後記するように表示装置本体１に対して表示面１１と反対側の非覆い位置へ回動したとき、机等の静止物Ａに当接して前記表示装置本体１の起立状態を維持することができるようにしてある。また、支持板２１ｅでカバー２の開口縁には、カバー２が回動する際に表示装置本体１との当接を回避するための切欠部２１ｇがほぼ全長に亘って設けられている。
【００４３】
摺動体２２は覆い部２１ａが前記表示面１１を覆う覆い位置から非覆い位置の途中にかけて摺動し、この非覆い位置の途中で摺動体２２に対しカバー２を非覆い位置に向けて、換言すれば表示面１１と反対側へ一回転に近い角度に亘って回動させることができるようにしてある。
【００４４】
以上のように構成された実施の形態１の表示装置は、未使用である場合、表示装置本体１がカバー２の収納空間に収納されており、カバー２は前記表示面１１を覆う覆い位置にある（図２参照）。この際、カバー２は表示装置本体１の表示面１１及び表示面１１と反対側を覆う箱形であるため、カバー２の厚さを比較的薄くした場合においてもカバー２の強度を高めることができ、外圧に対して表示装置本体１を保護することができる。また、表示面１１と覆い部２１ａとの間、及び表示面１１と反対側の面と支持板２１ｅとの間にはカバー２を摺動させるための若干の隙間があるため、収納空間内の表示装置本体１が覆い部２１ａに接触して傷が付くことを防ぐことができ、また、覆い部２１ａに加わる外圧を前記隙間によって吸収することができ、表示面１１の破損をなくすることができる。
【００４５】
机等の静止物Ａ上で使用する場合、覆い位置のカバー２を表示装置本体１に対して案内溝１２に沿って非覆い位置の途中へ摺動させ（図３、図４参照）、この非覆い位置の途中で摺動体２２に対しカバー２を表示面１１と反対側へ一回転に近い角度に亘って回動させ（図１参照）、カバー２を非覆い位置に位置させることにより、表示装置本体１の起立状態を維持することができる。この際、表示装置本体１とカバー２とが略逆Ｖ字形になるため（図１参照）、省スペースで使用することができる。また、カバー２の非覆い位置を調整することにより、表示装置本体１の傾斜角度、ひいては表示面１１の角度を自由に調整することができる。
【００４６】
実施の形態２
図６乃至図９は本発明に係る表示装置の実施の形態２の構成を示すもので、図６は使用時の斜視図、図７は拡大側面図、図８は未使用時の斜視図、図９の（ａ）　はカバーの一部を省略した背面図、（ｂ）　は（ａ）　のＩＸ−ＩＸ線の断面図である。
この表示装置は、前記表示装置本体１と、この表示装置本体１の起立時に下側となる下辺に第１のヒンジ３ａを介して回動可能に保持され、前記表示面１１を覆うフラット形のカバー２ａとを備えている。
【００４７】
第１のヒンジ３ａは表示装置本体１の下辺で長手方向両側に突設された一対の第１の連結片３１ａ，３１ａと、前記カバー２ａの一側に突設され、前記連結片３１ａ，３１ａの間に配置されて連結片３１ａ，３１ａと相対回動可能に連結された第２の連結片３１ｂとを有しており、前記カバー２ａが表示面１１を覆う覆い位置から表示面１１と反対側で表示装置本体１の起立状態を維持する非覆い位置に亘ってカバー２ａを回動させ得るようにしてある。尚、第１のヒンジ３ａは連結片３１ａ，３１ａ及び連結片３１ｂを連結する枢軸３１ｃを備え、該枢軸３１ｃを取外すことにより、前記カバー２ａを取外すことができるようにしてある。
【００４８】
カバー２ａは第１のヒンジ３ａを介して前記表示装置本体１の下辺に保持され、表示面１１のほぼ下側半分を覆う矩形の第１の覆い部２３ａと、該覆い部２３ａの前記ヒンジ３ａと反対側端に第２のヒンジ３ｂを介して連結され、表示面１１のほぼ上側半分を覆う矩形の第２の覆い部２３ｂとを有しており、第２の覆い部２３ｂを第１の覆い部２３ａに対して屈曲可能としてある。第１及び第２の覆い部２３ａ，２３ｂは表示装置本体１の厚さよりも薄い例えば５ｍｍ未満の厚さにしてある。また、カバー２ａはチタニウム、マグネシューム合金、アルミニウム等の金属材料、又は、合成樹脂材料により成形されている。
【００４９】
第２の覆い部２３ｂのヒンジ３ｂと反対側部分には係合片２４が突設されており、また、この係合片２４に係合することが可能な係止片１４が表示装置本体１の表示面１１と反対側の面に突設されている。
【００５０】
第２のヒンジ３ｂは第１及び第２の覆い部２３ａ，２３ｂの一方に離間して突設された一対の第３の連結片３２ａ，３２ａと、第１及び第２の覆い部２３ａ，２３ｂの他方に突設され、前記連結片３２ａ，３２ａの間に配置される第４の連結片３２ｂと、第３及び第４の連結片３２ａ，３２ｂを相対回動可能に連結する軸部とを有しており、第３及び第４の連結片３２ａ，３２ｂが前記覆い部２３ａ，２３ｂの内面よりも高い補強用の凸条になっている。
【００５１】
第３の連結片３２ａ，３２ａは前記覆い部２３ａ，２３ｂの内面よりも高くし（図７参照）、覆い部２３ａ，２３ｂが表示面１１を覆ったとき、第３の連結片３２ａ，３２ａが表示装置本体１に当接し、表示面１１と覆い部２３ａ，２３ｂとの間に若干の隙間が生ずるようにしてある。また、第３及び第４の連結片３２ａ，３２ｂは、長手方向の中央側で表示面１１と向き合う部分の覆い部２３ａ，２３ｂ内面に対する高さを、長手方向の両側の覆い部２３ａ，２３ｂ内面に対する高さよりも低くし、第３及び第４の連結片３２ａ，３２ｂと表示面１１との間に若干の隙間が生ずるようにしてある。
【００５２】
以上のように構成された実施の形態２の表示装置は、未使用である場合、カバー２ａは第１及び第２の覆い部２３ａ，２３ｂが表示面１１を覆う覆い位置にある。この際、カバー２ａは第２の覆い部２３ｂの屈曲部となる第２のヒンジ３ｂが表示面１１の中央近傍に配置されており、しかも、第２のヒンジ３ｂが凸条であるため、第１及び第２の覆い部２３ａ，２３ｂの厚さを比較的薄くした場合においても外圧に対して表示面１１を保護することができる。また、第２のヒンジ３ｂの凸条は覆い部２３ａ，２３ｂの内面よりも高くしてあり、表示面１１と覆い部２３ａ，２３ｂとの間に隙間があるため、覆い部２３ａ，２３ｂに加わる外圧を前記隙間によって吸収することができ、表示面１１の破損をなくすることができる。また、第２のヒンジ３ｂの長手方向中央側で、表示面１１と向き合う部分は覆い部２３ａ，２３ｂの内面に対する高さを低くしてあるため、覆い部２３ａ，２３ｂに加わる外圧によって第２のヒンジ３ｂが表示面１１に接触することを防ぐことができる。
【００５３】
机等の静止物Ａ上で使用する場合、覆い部２３ａ，２３ｂが表示面１１を覆う覆い位置のカバー２ａを、第１のヒンジ３ａを支点として表示面１１と反対側の非覆い位置へ回動させ、この非覆い位置で第２の覆い部２３ｂを、第２のヒンジ３ｂから表示装置本体１側へ屈曲し、第２のヒンジ３ｂの連結片３２ａ，３２ｂを静止物Ａ上に当接させることにより、カバー２ａによって表示装置本体１の起立状態を維持することができる。この際、覆い部２３の大きさを半減することができるため、省スペースで使用することができる。
【００５４】
第１の覆い部２３ａに対して折り返した第２の覆い部２３ｂには係合片２４が設けられているため、この係合片２４を表示装置本体１の係止片１４に係合させることにより、表示装置本体１を表示面１１と反対側から支えることができるとともに、カバー２ａの表示装置本体１に対する回動を阻止することができ、表示装置本体１の起立状態を安定させることができる。
また、表示装置の使用時には第１及び第２のヒンジ３ａ，３ｂが静止物Ａに当接するため、カバー２ａが傷付いたり、汚れたりすることを少なくすることができる。
その他の構成及び作用は実施の形態１と同じであるため、同様の部品については同じ符号を付し、その詳細な説明及び作用効果の説明を省略する。
尚、実施の形態２において、前記第２の覆い部２３ｂは表示装置本体１を表示面１１と反対側から支えることなく、例えば第１の覆い部２３ａと重なるようにしてもよい。この場合、第１の覆い部２３ａを非覆い位置で停止させるストッパを表示装置本体１に設けるか、又は、第１の覆い部２３ａに回動抵抗を加える。
【００５５】
実施の形態３
図１０、図１１は本発明に係る表示装置の実施の形態３の構成を示すもので、図１０は側面図、図１１の（ａ）　は使用時の斜視図、（ｂ）　は未使用時の斜視図である。
この表示装置は、実施の形態２の係合片２４をなくし、前記係止片１４に代えて、前記第２の覆い部２３ｂの第１の覆い部２３ａと反対側の部分が当接し、前記表示装置本体１の静止物Ａに対する傾き角度を調整する複数の係止部１５を設け、表示装置本体１の前方への倒れを防ぐ一対の補助片４，４を設けたものである。
【００５６】
実施の形態３において、係止部１５は表示装置本体１の表示面１１と反対側の面に上下に離間して複数が突設されている。
補助片４，４は、前記第１のヒンジ３ａにおける第１の連結片３１ａにカバー２ａの回動方向への回動を可能に保持されている。
また、前記第１の覆い部２３ａの前記補助片４と向き合う位置には、補助片４，４と第１の覆い部２３ａとの相対回転を許容する切欠部を設けてある。
【００５７】
第３の実施の形態にあっては、未使用である場合、カバー２ａは第１及び第２の覆い部２３ａ，２３ｂが表示面１１を覆う覆い位置にあり、さらに、補助片４，４は第１の覆い部２３ａの切欠部にあり、表示面１１の一部を覆っている（図１１の（ｂ）　参照）。
【００５８】
机等の静止物Ａ上で使用する場合、覆い位置のカバー２ａを、第１のヒンジ３ａを支点として表示面１１と反対側の非覆い位置へ回動させ、この非覆い位置で第２の覆い部２３ｂを、第２のヒンジ３ｂから表示装置本体１側へ屈曲し、第２のヒンジ３ｂの連結片３２ａ，３２ｂを静止物Ａ上に当接させることにより、表示装置本体１の後方への倒れを防止できる。また、補助片４，４を表示面１１の前方へ回動させ、該補助片４，４の端部を静止物Ａ上に当接させることにより（図１０参照）、表示装置本体１の前方への倒れを防止できる。このようにカバー２ａ及び補助片４，４によって表示装置本体１の起立状態を維持することができる。さらに、屈曲した第２の覆い部２３ｂの第１の覆い部２３ａと反対側部分を係止部１５の一つと係合させることにより、表示装置本体１を表示面１１と反対側から支えることができ、表示装置本体１の起立状態を安定させることができる。この際、係止部１５は複数あるため、係止部１５との係合位置を調整することにより、表示装置本体１の静止物Ａに対する傾き角度を調整することができる。
その他の構成及び作用は実施の形態１、２と同じであるため、同様の部品については同じ符号を付し、その詳細な説明及び作用効果の説明を省略する。
【００５９】
実施の形態４
図１２は本発明に係る表示装置の実施の形態４の構成を示す使用時の斜視図、図１３は拡大側面図、図１４は未使用時の斜視図である。
この表示装置は、表示装置本体１の起立時に下側となる下辺にカバー２ａを保持する代わりに、前記表示装置本体１の起立時に上側となる上辺に第３及び第４のヒンジ３ｃ，３ｄを介してカバー２ｂを回動可能に保持したものである。
【００６０】
実施の形態４において、第３のヒンジ３ｃは表示装置本体１の上辺で長手方向両側に突設された一対の第５の連結片３３ａ，３３ａと、この連結片３３ａ，３３ａの間に相対回動可能に保持された第６の連結片３３ｂとを有しており、カバー２ｂが表示面１１を覆う覆い位置から表示面１１と反対側の非覆い位置に亘ってカバー２ｂを回動させ得るようにしてある。
【００６１】
第４のヒンジ３ｄは前記カバー２ｂの一側部で該一側部の長手方向両側に突設された一対の第７の連結片３４ａ，３４ａと、この連結片３４ａ，３４ａの間に相対回動可能に保持された第８の連結片３４ｂとを有しており、第７及び第８の連結片３４ａ，３４ｂはカバー２ｂの内面よりも高い凸条としてあり（図１３参照）、カバー２ｂが表示面１１を覆ったとき、第７の連結片３４ａ，３４ａが表示装置本体１に当接し、表示面１１とカバー２ｂとの間に若干の隙間が生ずるようにしてある。
【００６２】
カバー２ｂは表示面１１を覆う大きさの１枚の板からなる。このカバー２ｂの表示装置本体１への保持側と反対側部分は、カバー２ｂが非覆い位置へ回動したとき、机等の静止物Ａに当接するようにしてある。また、カバー２ｂには複数の補強用の凸条２５ａが突設されている。
また、表示装置本体１の起立時における側辺にはストッパ片５の一端が枢支されており、このストッパ片５の他端部に係合が可能な係合部２５ｂを前記カバー２ｂの側辺に設けてある。
【００６３】
実施の形態４にあっては、未使用である場合、カバー２ｂは表示面１１を覆う覆い位置にある（図１４参照）。この際、第４のヒンジ３ｄの凸条はカバー２ｂの内面よりも高くしてあり、表示面１１とカバー２ｂとの間に隙間があるため、カバー２ｂに加わる外圧を前記隙間によって吸収することができ、表示面１１の破損をなくすることができる。
【００６４】
机等の静止物Ａ上で使用する場合、覆い位置のカバー２ｂを、第３及び第４のヒンジ３ｃ，３ｄを支点として表示面１１と反対側の非覆い位置へ回動させることにより、表示装置本体１の起立状態をカバー２ｂによって維持することができる。この際、カバー２ｂを前記表示面１１と反対側へ一回転に近い角度に亘って回動させることができるため、省スペースで使用することができる。
【００６５】
また、表示装置本体１の側辺にはストッパ片５が枢支されているため、このストッパ片５の他端をカバー２ｂの係合部２５ａに係合させることにより、カバー２ｂの表示装置本体１に対する回動を阻止することができ、表示装置本体１の起立状態を安定させることができる。
その他の構成及び作用は実施の形態１、２と同じであるため、同様の部品については同じ符号を付し、その詳細な説明及び作用効果の説明を省略する。
尚、実施の形態４において、表示装置本体１の起立状態を安定させる手段としてストッパ片５を設ける他、このストッパ片５をなくし、カバー２ｂの第３及び第４のヒンジ３ｃ，３ｄ部に回動抵抗を加え、この回動抵抗によってカバー２ｂの表示装置本体１に対する回動を抑制するように構成してもよい。
【００６６】
実施の形態５
図１５は本発明に係る表示装置の実施の形態５の構成を示す使用時の斜視図、図１６は未使用時の斜視図である。
この表示装置は、表示装置本体１の起立時に下側となる下辺に、該下辺の長手方向に並置された３枚の板体２６ａ，２６ｂ，２６ｃからなるカバー２ｃを第５のヒンジ３ｅを介して回動可能に保持したものである。
【００６７】
実施の形態５において、各板体２６ａ，２６ｂ，２６ｃは表示面１１を覆う覆い位置と、非覆い位置とに亘って回動可能としてある。また、両側の板体２６ａ，２６ｃは表示装置本体１の後方側が非覆い位置となり、中央側の板体２６ｂは表示装置本体１の前方側が非覆い位置となるようにしてある。尚、各板体２６ａ，２６ｂ，２６ｃは、表示装置本体１に設けるストッパとか、第５のヒンジ３ｅに加える回動抵抗とかによって非覆い位置に停止されるようにしてある。
【００６８】
実施の形態５にあっては、表示装置の未使用時、並置された各板体２６ａ，２６ｂ，２６ｃが表示面１１と向き合い、表示面１１を覆っている。
表示装置の使用時には、両側の板体２６ａ，２６ｃを表示外本体１の後方へ回動させ、中央の板体２６ｂを表示装置本体１の前方へ回動させ、各板体２６ａ，２６ｂ，２６ｃを非覆い位置に位置させる。この場合、両側の板体２６ａ，２６．ｃによって表示装置本体１の後方への倒れを阻止することができ、中央側の板体２６ｂによって前方への倒れを阻止することができる。
その他の構成及び作用は実施の形態１、２と同じであるため、同様の部品については同じ符号を付し、その詳細な説明及び作用効果の説明を省略する。
【００６９】
実施の形態６
図１７は本発明に係る表示装置の実施の形態６の構成を示す斜視図である。
この表示装置は、実施の形態２の表示装置本体１の周面に、表示装置本体１の周面の一部に接続されるバッテリ用のケーブル又はＡＣアダプタ用のケーブル６が挿入される溝１６を設けたものである。
【００７０】
実施の形態６において、表示装置本体１の一方の側辺で第１のヒンジ３ａの近傍にケーブル接続部１７が設けられている。また、前記溝１６は第１のヒンジ３ａが設けられた下辺を除く両側辺及び上辺に連続して設けられている。
【００７１】
実施の形態６にあっては、表示装置本体１に接続されたケーブル６を表示装置本体１周面の溝１６に挿入して巻くことができるため、表示装置を携帯する際のケーブル処理を容易にできる。
その他の構成及び作用は実施の形態１、２と同じであるため、同様の部品については同じ符号を付し、その詳細な説明及び作用効果の説明を省略する。
【００７２】
実施の形態７
図１８は本発明に係る表示装置の実施の形態７の構成を示す斜視図である。
この表示装置は、実施の形態６に加えて、実施の形態２のカバー２ａに前記ケーブル６の一部を巻回する巻取リール７を設けたものである。
【００７３】
実施の形態７において、巻取リール７はカバー２ａにおける第１の覆い部２３ａの外面（非表示面側）に突設されており、表示装置本体１の前記溝１６に挿入して巻くことができない部分のケーブル６を巻回するようにしてある。
【００７４】
実施の形態７にあっては、表示装置本体１に接続されたケーブル６をほぼ全長に亘って溝１６及び巻取リール７に巻回することができるため、表示装置を鞄等に収容して携帯する際のケーブル処理を容易にできる。
その他の構成及び作用は実施の形態１、２と同じであるため、同様の部品については同じ符号を付し、その詳細な説明及び作用効果の説明を省略する。
【００７５】
実施の形態８
図１９は本発明に係る表示装置の実施の形態８の構成を示す収納箱を開放した状態の斜視図、図２０は未使用時の斜視図、図２１は電気部品を収納する際の説明図である。
この表示装置は、表示装置本体１の起立時に下側となる下辺部に、表示面１１を覆うカバー２ｄと、該カバー２ｄによって開閉される収納箱８とを第６のヒンジ３ｆを介して回動可能に保持したものである。
【００７６】
実施の形態８において、カバー２ｄ及び収納箱８はカバー２ｄが表示面１１を覆う覆い位置から非覆い位置にかけて回動可能としてある。また、カバー２ｄ及び収納箱８は相対回動可能としてあり、覆い位置から非覆い位置まではカバー２ｄ及び収納箱８を一緒に回動させ、非覆い位置で収納箱８に対してカバー２ｄを表示面１１側へ回動させることにより収納箱８を開くことができるようにしてある。　カバー２ｄは表示装置本体１に対応する大きさの矩形板からなり、その一辺が第６のヒンジ３ｆを介して表示装置本体１の下辺部に保持されている。
【００７７】
収納箱８はカバー２ｄに対応する大きさに形成されている。また、この収納箱８には複数の収納部８１と、ケーブル挿入孔８２及び直流用のＤＣ入力端子８３とを有する。収納部８１の一つには例えば直流用のＤＣバッテリ４０、又は、交流を直流に変換するためのＡＣアダプタ４１が収納され、収納部８１の他の一つには例えばモニタ接続ケーブル、ノート型パーソナルコンピュータ用のＡＣアダプタ、ノート型パーソナルコンピュータ用のマウス等の電気部品が収納される。
また、前記ケーブル挿入孔８２には前記ＡＣアダプタ４１に接続されたケーブルが挿入され、ＤＣ入力端子８３には前記ＤＣバッテリ４０又はＡＣアダプタ４１のＤＣプラグ４２が接続される。
【００７８】
実施の形態８にあっては、未使用時に収納箱８を表示装置本体１に重ねることができるため、収納箱８を有する割に表示装置の全体をコンパクトにできる。しかも、外力に対するカバー２ｄの撓みを収納箱８によって防ぐことができ、表示面１１の傷つきを防ぐことができる。また、前記電気部品を収納部８１に効率よく収納することができ、また、収納箱８には、ＤＣ入力端子８３とケーブル挿入孔８２とを設けてあるため、使用時に外部へ出て見苦しかった前記電気部品、特にＡＣアダプタ４１又はＤＣバッテリ４０を収納部８１に収納した状態で使用することが可能となり、表示装置の周りを整理することができる。
その他の構成及び作用は実施の形態１、２、７と同じであるため、同様の部品については同じ符号を付し、その詳細な説明及び作用効果の説明を省略する。
【００７９】
実施の形態９
図２２は本発明に係る表示装置の実施の形態９の構成を示すもので、カバーを開放した状態の斜視図である。
この表示装置は、カバー２ｅに前記ＤＣバッテリ、ＡＣアダプタ、モニタ接続ケーブル、ノート型パーソナルコンピュータ用のＡＣアダプタ、ノート型パーソナルコンピュータ用のマウス等の電気部品が収納される収納部２７ａを設けたものである。
【００８０】
実施の形態９において、カバー２ｅは、表示装置本体１の一側部に枢支された箱部材２７ｂと、該箱部材２７ｂの一側部に枢支され、箱部材２７ｂを開閉する蓋部材２７ｃとを有しており、蓋部材２７ｃが箱部材２７ｂを閉じた状態を維持することができるように構成されている。
【００８１】
実施の形態９にあっては、カバー２ｅが収納部２７ａを有するため、表示装置に接続される電気部品を収納部２７ａに効率よく収納することができ、しかも、使用時に外部へ出て見苦しかった前記電気部品を収納部２７ａに収納した状態で使用することができる。また、外力に対するカバー２ｅの撓みを箱部材２７ｂによって防ぐことができ、表示面１１の傷つきを防ぐことができる。
【００８２】
実施の形態１０
図２３は本発明に係る表示装置の実施の形態１０の構成を示すもので、収納箱を摺動させた状態の斜視図である。
この表示装置は、カバー２ｄによって開閉される前記収納箱８を実施の形態８のように回動可能に保持する代わりに、前記収納箱８を第６のヒンジ部３ｆに、第６のヒンジ３ｆの長手方向へ摺動可能に保持し、摺動することによって取外すことができるようにしたものである。
【００８３】
実施の形態１０において、第６のヒンジ３ｆ部及び収納箱８の一方には案内条部３５を有し、第６のヒンジ３ｆ部及び収納箱８の他方には前記案内条部３５に係合する係合部８４を有し、この係合部８４が案内条部３５と係合した状態で収納箱８を摺動させることができ、さらに、この収納箱８をカバー２ｄとともに回動させることができるようにしてある。尚、第６のヒンジ３ｆに設けられる前記案内条部３５又は係合部８４は、第６のヒンジ３ｆのカバー側の連結片に設けられている。
実施の形態１０にあっては、ＴＰＯに応じて収納箱を取り替えることができる。
【００８４】
実施の形態１１
図２４は本発明に係る表示装置の実施の形態１１の構成を示す模式的斜視図である。
この表示装置は、表示装置本体１に対応する大きさの矩形板からなカバー２ｆを、表示装置本体１の起立時における下辺部に第７のヒンジ３ｇを介して回動可能に保持したものである。
【００８５】
実施の形態１１において、カバー２ｆは表示面１１の前方が非覆い位置となり、この非覆い位置で表示装置本体１の起立状態を維持することができるようにしてある。
【００８６】
実施の形態１２
図２５は本発明に係る表示装置の実施の形態１２の構成を示す模式的斜視図である。
この表示装置は、表示装置本体１に対応する大きさの矩形板からなるカバー２ｆを、表示装置本体１の起立時における下辺部に第７のヒンジ３ｇを介して回動可能に保持し、表示面１１の後方側で表示装置本体１の起立状態を維持することができるようにしたものである。
実施の形態１２において、カバー２ｆは表示面１１の後方が非覆い位置となる。
【００８７】
実施の形態１３
図２６は本発明に係る表示装置の実施の形態１３の構成を示す模式的斜視図である。
この表示装置は、表示装置本体１に対応する大きさの矩形板からなカバー２ｆを、表示装置本体１の起立時における左右の側辺部にリンク部材９を介して回動可能に保持したものである。
【００８８】
実施の形態１３において、表示装置本体１の側辺部には第１のリンク部材９ａの一端部を前後方向への回動を可能に枢支してあり、カバー２ｆの左右の側辺には第２のリンク部材９ｂの一端部を前後方向への回動を可能に枢支してあり、第１及び第２のリンク部材９ａ，９ｂの他端部を相対回動可能に連結してある。
【００８９】
実施の形態１３にあっては、表示装置の使用時、第１及び第２のリンク部材９ａ，９ｂは表示面１１の後方に向けて回動し、表示装置本体１に対して略＞形となり、カバー２ｆは表示装置本体１の下側で表示面１１に対し前方側と後方側とに配置された状態となり、表示装置本体１の起立状態を維持する（図２６（ａ）　参照）。
表示装置の未使用時、図２６（ａ）　の第１のリンク部材９ａを時計回り方向へ回動させ、第２のリンク部材９ｂを時計回り方向へ回動させつつカバー２ｆを時計回り方向へ回動させ、該カバー２ｆによって表示面１１を覆う。
【００９０】
実施の形態１４
図２７は本発明に係る表示装置の実施の形態１４の構成を示す模式的斜視図である。
この表示装置は、表示面１１の左側を覆うカバー２ｇと、表示面１１の右側を覆うカバー２ｇとを備え、各カバー２ｇ，２ｇを表示装置本体１の起立時における左右の側辺に第８のヒンジ３ｈを介して回動可能に保持したものである。
【００９１】
実施の形態１４において、各カバー２ｇ，２ｇは表示面１１の後方へ回動させることにより、表示装置本体１の起立状態を維持することができるようにしてある。
【００９２】
実施の形態１５
図２８は本発明に係る表示装置の実施の形態１５の構成を示す模式的斜視図である。
この表示装置は、表示面１１の上側を覆うカバー２ｈと、表示面１１の下側を覆うカバー２ｊとを備え、各カバー２ｈ，２ｊを表示装置本体１の起立時における上辺及び下辺に第９のヒンジ３ｊ，３ｊを介して回動可能に保持したものである。
【００９３】
実施の形態１５において、各カバー２ｈ，２ｊは表示面１１の後方へ回動させることにより、下側のカバー２ｊが表示装置本体１の起立状態を維持することができるようにしてある。
【００９４】
実施の形態１１乃至１５において、その他の構成及び作用は実施の形態１乃至６と同じであるため、同様の部品については同じ符号を付し、その詳細な説明及び作用効果の説明を省略する。
【００９５】
尚、以上説明した実施の形態では、カバー２、２ａ〜２ｈ、２ｊを表示装置本体に可動可能に保持する手段としてヒンジを用いたが、このヒンジの構造は特に制限されない。また、各実施の形態のヒンジはカバー２、２ａ〜２ｈを表示装置本体１から取外すことができるように構成してもよい。また、カバー２、２ａ〜２ｈを非覆い位置に停止させる手段は、例えばカバーを非覆い位置で停止させるストッパを表示装置本体１に設けるか、又は、カバーの表示装置本体１に保持する被保持部に回動抵抗を加える。
【００９６】
また、実施の形態２乃至１５にあっては、表示装置本体１の表示面１１とカバー２ａ〜２ｈ、２ｊとの間には隙間を設けて、カバー２ａ〜２ｈ、２ｊに加わる外圧を隙間によって吸収することができるように構成するのであるが、この隙間は実施の形態２のように構成する他、例えば表示装置本体１の表示面１１周り及び／又はカバーに１つ又は複数の凸条、複数の凸部を突設することによって隙間を設ける構成としてもよいし、また、表示面１１を表示装置本体１の周縁部よりも凹ませたり、カバー２ａ〜２ｈ、２ｊの表示面１１と向き合う部分を凹ませたりすることによって隙間を設ける構成としてもよいのであり、隙間を設ける構成は特に制限されない。
【００９７】
【発明の効果】
以上詳述したように第１発明によれば、カバーを非覆い位置へ動かせることにより、表示装置本体の起立状態を維持することができ、しかも、未使用時にはカバーの表示装置本体に対する外方への突出量を少なくすることができ、表示装置の全体をコンパクトにできるため、未使用時に机上に放置することなく書棚等に格納することができるとともに、鞄等に収容して携帯することができる。
【００９８】
第２発明によれば、表示装置本体の一側部に枢着されたカバーを、一回転に近い角度に亘って回動させることができるため、省スペースで使用することができ、しかも、カバーの紛失をなくすることができる。
【００９９】
第３発明によれば、カバーは表示装置本体に対して取外しが可能であるため、表示装置の携帯時等に覆い部が損傷した場合でも、カバーを簡易に交換することができる。
【０１００】
第４発明によれば、カバーが有する複数の板体によって複数のスタンドにすることができるため、表示装置本体の起立状態を安定させることができる。
【０１０１】
第５発明によれば、カバーの途中を屈曲することができるため、カバーが非覆い位置で表示装置本体の起立状態を維持する際の大きさを半減することができ、省スペースで使用することができる。
【０１０２】
第６発明によれば、屈曲部の凸条によって覆い部の厚さを比較的薄くした場合においても外圧に対して覆い部の撓みを抑制でき、表示面を保護することができるため、表示装置全体を軽量にでき、鞄等に収容して携帯する際の携帯性を向上できる。
【０１０３】
第７発明によれば、カバーの屈曲した部分が表示装置本体を表示面と反対側から支えるため、表示装置本体の起立状態をより一層安定させることができ、しかも、表示面の角度を自由に調整することができる。
【０１０４】
第８発明によれば、表示装置本体に接続されたケーブルを表示装置本体周面の溝に挿入することができるため、表示装置を鞄等に収容して携帯する際のケーブル処理を容易にできる。
【０１０５】
第９発明によれば、巻取リールにケーブルを巻取ることができるため、表示装置を鞄等に収容して携帯する際のケーブル処理を容易にできる。
【０１０６】
第１０発明によれば、カバーを摺動及び回動操作することにより、カバーを覆い位置及び非覆い位置へ動かせることができるため、容易に、しかも、効率的にカバーを動かせることができる。
【０１０７】
第１１発明によれば、カバーは箱形に形成されるため、カバーの厚さを比較的薄くした場合においてもカバーの強度を高めることができ、外圧に対して表示面を保護することができ、しかも、収納空間に表示装置本体を収納した際には、表示面とカバーとの間、及び表示面と反対側の面とカバーとの間に隙間を発生させることができるため、収納空間内の表示装置本体がカバーに接触して傷が付くことを防ぐことができ、表示面の破損をなくすることができる。
【０１０８】
第１２発明によれば、外力に対する覆い部の撓みを収納部によって防ぐことができ、表示面の傷つきを防ぐことができる。
【０１０９】
第１３発明によれば、外力に対する覆い部の撓みを収納箱によって防ぐことができ、表示面の傷つきを防ぐことができ、しかも、ＴＰＯに応じて収納箱を取り替えることができる。
【図面の簡単な説明】
【図１】本発明に係る表示装置の実施の形態１の構成を示す使用時の斜視図である。
【図２】本発明に係る表示装置の実施の形態１の構成を示す未使用時の斜視図である。
【図３】本発明に係る表示装置の実施の形態１の構成を示すカバーを半開した斜視図である。
【図４】本発明に係る表示装置の実施の形態１の構成を示すカバーを全開した正面側斜視図である。
【図５】本発明に係る表示装置の実施の形態１の構成を示すカバーを全開した背面側斜視図である。
【図６】本発明に係る表示装置の実施の形態２の構成を示す使用時の斜視図である。
【図７】本発明に係る表示装置の実施の形態２の構成を示す拡大側面図である。
【図８】本発明に係る表示装置の実施の形態２の構成を示す未使用時の斜視図である。
【図９】本発明に係る表示装置の実施の形態２の構成を示すもので、（ａ）　はカバーの一部を省略した背面図、（ｂ）　は（ａ）　のＩＸ−ＩＸ線の断面図である。
【図１０】本発明に係る表示装置の実施の形態３の構成を示す側面図である。
【図１１】本発明に係る表示装置の実施の形態３の構成を示すもので、（ａ）　は使用時の斜視図、（ｂ）　は未使用時の斜視図である。
【図１２】本発明に係る表示装置の実施の形態４の構成を示す使用時の斜視図である。
【図１３】本発明に係る表示装置の実施の形態４の構成を示す拡大側面図である。
【図１４】本発明に係る表示装置の実施の形態４の構成を示す未使用時の斜視図である。
【図１５】本発明に係る表示装置の実施の形態５の構成を示す使用時の斜視図である。
【図１６】本発明に係る表示装置の実施の形態５の構成を示す未使用時の斜視図である。
【図１７】本発明に係る表示装置の実施の形態６の構成を示す斜視図である。
【図１８】本発明に係る表示装置の実施の形態７の構成を示す斜視図である。
【図１９】本発明に係る表示装置の実施の形態８の構成を示す収納箱を開放した状態の斜視図である。
【図２０】本発明に係る表示装置の実施の形態８の構成を示す未使用時の斜視図である。
【図２１】本発明に係る表示装置の実施の形態８の構成を示す電気部品を収納する際の説明図である。
【図２２】本発明に係る表示装置の実施の形態９の構成を示すカバーを開放した状態の斜視図である。
【図２３】本発明に係る表示装置の実施の形態１０の構成を示す収納箱を摺動させた状態の斜視図である。
【図２４】本発明に係る表示装置の実施の形態１１の構成を示す模式的斜視図である。
【図２５】本発明に係る表示装置の実施の形態１２の構成を示す模式的斜視図である。
【図２６】本発明に係る表示装置の実施の形態１３の構成を示す模式的斜視図である。
【図２７】本発明に係る表示装置の実施の形態１４の構成を示す模式的斜視図である。
【図２８】本発明に係る表示装置の実施の形態１５の構成を示す模式的斜視図である。
【符号の説明】
１　　表示装置本体
１１　表示面
１５　係止部
１６　溝
２、２ａ〜２ｈ　カバー
２６ａ〜２６ｃ　板体
２７ａ　収納部
６　　ケーブル
７　　リール
８　　収納箱
８１　収納部
【図１】
2004078039.tif 000003
【図２】
2004078039.tif 000004
【図３】
2004078039.tif 000005
【図４】
2004078039.tif 000006
【図５】
2004078039.tif 000007
【図６】
2004078039.tif 000008
【図７】
2004078039.tif 000009
【図８】
2004078039.tif 000010
【図９】
2004078039.tif 000011
【図１０】
2004078039.tif 000012
【図１１】
2004078039.tif 000013
【図１２】
2004078039.tif 000014
【図１３】
2004078039.tif 000015
【図１４】
2004078039.tif 000016
【図１５】
2004078039.tif 000017
【図１６】
2004078039.tif 000018
【図１７】
2004078039.tif 000019
【図１８】
2004078039.tif 000020
【図１９】
2004078039.tif 000021
【図２０】
2004078039.tif 000022
【図２１】
2004078039.tif 000023
【図２２】
2004078039.tif 000024
【図２３】
2004078039.tif 000025
【図２４】
2004078039.tif 000026
【図２５】
2004078039.tif 000027
【図２６】
2004078039.tif 000028
【図２７】
2004078039.tif 000029
【図２８】
2004078039.tif 000030